(57)【特許請求の範囲】
【請求項１】
外部へカードを発行するカード発行口と、
このカード発行口の発行方向に対して上流側に設けられたカードデータ処理部と、
このカードデータ処理部の発行方向に対して上流側に設けられ、前記カードを１枚ずつ取出可能に収納する複数のカード収納部が併設されたカード収納体と、
このカード収納体と前記カードデータ処理部との間に配置されて前記カード収納部の併設方向に移動可能に設けられ、前記各カード収納部から取り出されるカードを受け入れて搬送する移動搬送部と、
前記カードデータ処理部と移動搬送部との間に設けられ、前記移動搬送部からカードを受け入れる第１の回転位置と受け入れたカードを前記カードデータ処理部に受け渡す第２の回転位置との間で回転する回転搬送部と
を具備していることを特徴とするカード発行装置。
【請求項２】
外部へカードを発行するとともに外部から補充用のカードを受入可能とするカード発行口と、
このカード発行口の発行方向に対して上流側に設けられたカードデータ処理部と、
このカードデータ処理部の発行方向に対して上流側に設けられ、前記カードを１枚ずつ出し入れ可能に収納する複数のカード収納部が併設されたカード収納体と、
このカード収納体と前記カードデータ処理部との間に配置されて前記カード収納部の併設方向に移動可能に設けられ、前記各カード収納部に対してカードを出し入れする移動搬送部と、
前記カードデータ処理部と移動搬送部との間に設けられ、前記移動搬送部との間で互いにカードの受け渡しをする第１の回転位置と前記カードデータ処理部との間で互いにカードの受け渡しをする第２の回転位置との間で回転する回転搬送部と
を具備していることを特徴とするカード発行装置。
【請求項３】
前記カード収納部に収納された前記カードの端面に接触して取出方向へ押し出す押出部を有し、この押出部の接触面が前記カードの端面を受け入れる凹状に設けられた押出手段を具備している
ことを特徴とする請求項１または２記載のカード発行装置。
【請求項４】
前記カード収納体の開放面に配置され、前記各カード収納部に装填するカードを前記各カード収納部に案内する複数の装填補助溝が形成された装填補助体を具備している
ことを特徴とする請求項１ないし３いずれか記載のカード発行装置。
【請求項５】
前記移動搬送部および前記回転搬送部を制御し、前記各カード収納部に収納されているカードを１枚ずつ前記カードデータ処理部に搬送してカードのデータを読み取った後に前記各カード収納部に戻す精査処理をする制御部を具備している
ことを特徴とする請求項１ないし４いずれか記載のカード発行装置。
【請求項６】
前記回転搬送部は、前記カードの向きを反転させて前記カードデータ処理部に搬送可能とし、
前記制御部は、前記カードデータ処理部でカードのデータが読み取れなかった場合に、該カードを前記カードデータ処理部から前記回転搬送部に戻し、この回転搬送部で該カードの向きを反転させて前記カードデータ処理部に搬送してカードのデータを再読み取りし、正常にカードのデータが読み取れた場合に該カードを前記カード収納部に戻す
ことを特徴とする請求項５記載のカード発行装置。
【発明の詳細な説明】
【技術分野】
【０００１】
本発明は、カードを発行するカード発行装置に関する。
【背景技術】
【０００２】
従来、例えば、消費者金融の貸付契約を受け付ける自動契約受付機において、契約受付が済むことで所定のデータが書き込まれたカードを発行するためのカード発行装置が搭載されている。
【０００３】
この自動契約受付機のカード発行装置は、ホッパ内に複数のカードを水平に積み上げて収納しておき、カード発行時に、ホッパ内の最下位のカードを繰り出してカードデータ処理部で所定のデータを書き込み、このカードデータ処理部からカードを自動契約受付機の前面のカード発行口に送り出して発行している。このカード発行装置は、ホッパに収納して繰り出せるカードの種類は１種類であることから、１種類のカードしか発行できないため、自動契約受付機として複数種類のカードを発行する場合には、カード種類の数だけカード発行装置を自動契約受付機の幅方向に併設している。
【０００４】
また、カード管理機の分野において、カードを出し入れするカード挿通口の後方にカードデータ処理部を配置し、このカードデータ処理部の後方に、カードを１枚ずつ収納する複数のカード収納部を併設したカード収納体を左右方向に移動可能に配置した構成がある。そして、カードの貸出時には、カード収納体をカードを取り出すカード収納部がカードデータ処理部に対向するように移動させた後、そのカード収納部に収納されているカードをカードデータ処理部に押し出し、カードデータ処理部からカード挿通口に送り出している（例えば、特許文献１参照。）。
【０００５】
また、同様にカード管理機の分野において、カードを出し入れするカード挿通口の後方にカードデータ処理部を搭載したカード搬送部を前後方向に移動可能に設けるとともにカード搬送方向の向きが水平と鉛直とに変わるように回転可能に設け、このカード搬送部の前後方向の移動領域の下方にカードを１枚ずつ鉛直方向の向きで収納する複数のカード収納部を前後方向に併設したカード収納体を配置した構成がある。そして、カードの貸出時には、カード搬送部をカード搬送方向が鉛直方向となるように回転させるとともにカードを取り出すカード収納部の位置に移動させ、そのカード収納部に収納されているカードを上方へ押し出してカード搬送部に受け入れた後、カード搬送部をカード搬送方向が水平方向となるように回転させるとともにカード挿通口の後側近傍に移動し、カード搬送部からカード挿通口に送り出している（例えば、特許文献２参照。）。
【特許文献１】特開平５−１５９１４４号公報（第３−６頁、図１−３）
【特許文献２】特開２００１−６０２８１号公報（第３−７頁、図１−６）
【発明の開示】
【発明が解決しようとする課題】
【０００６】
しかしながら、自動契約受付機のカード発行装置では、１種類のカードしか発行できないため、複数種類のカードを発行するには複数のカード発行装置を自動契約受付機の幅方向に併設しなければならず、自動契約受付機が幅方向に大型化する問題がある。
【０００７】
また、カード管理機の分野において、複数のカード収納部を設けたカード収納体が左右方向に移動する構成があるが、カード収納体の移動方向にカード収納体の長さの２倍程度の移動スペースを確保する必要があり、左右方向に大型化する問題がある。
【０００８】
また、同様にカード管理機の分野において、カード搬送部が移動および回転する構成があるが、カードデータ処理部を搭載したカード搬送部はカード搬送方向に長いため、このカード搬送部が回転する大きな回転スペースを確保する必要があり、さらに、カード搬送部が最前部側の位置で回転する位置よりも後方にカード収納体を配置しなければ、カード搬送部とカード収納部との間でカードの受け渡しができないため、カード収納体の前方に無駄なスペースが空き、前後方向に大型化する問題がある。特に、自動契約受付機のカード発行装置に用いられるカードデータ処理部は、カード管理機の分野で用いられているカードデータ処理部に比べて、カードの読み書きに必要するカード搬送方向の寸法が大きくなるため、カード管理機の構成を自動契約受付機のカード発行装置に適用した場合には、カード搬送方向に長いカードデータ処理部が回転する回転スペースがより大きく、カード収納体も配置がより後方になるため、より大型化する問題がある。
【０００９】
本発明は、このような点に鑑みなされたもので、複数種類のカードの発行が可能でありながら小型にできるカード発行装置を提供することを目的とする。
【課題を解決するための手段】
【００１０】
請求項１記載のカード発行装置は、外部へカードを発行するカード発行口と、このカード発行口の発行方向に対して上流側に設けられたカードデータ処理部と、このカードデータ処理部の発行方向に対して上流側に設けられ、前記カードを１枚ずつ取出可能に収納する複数のカード収納部が併設されたカード収納体と、このカード収納体と前記カードデータ処理部との間に配置されて前記カード収納部の併設方向に移動可能に設けられ、前記各カード収納部から取り出されるカードを受け入れて搬送する移動搬送部と、前記カードデータ処理部と移動搬送部との間に設けられ、前記移動搬送部からカードを受け入れる第１の回転位置と受け入れたカードを前記カードデータ処理部に受け渡す第２の回転位置との間で回転する回転搬送部とを具備しているものである。
【００１１】
請求項２記載のカード発行装置は、外部へカードを発行するとともに外部から補充用のカードを受入可能とするカード発行口と、このカード発行口の発行方向に対して上流側に設けられたカードデータ処理部と、このカードデータ処理部の発行方向に対して上流側に設けられ、前記カードを１枚ずつ出し入れ可能に収納する複数のカード収納部が併設されたカード収納体と、このカード収納体と前記カードデータ処理部との間に配置されて前記カード収納部の併設方向に移動可能に設けられ、前記各カード収納部に対してカードを出し入れする移動搬送部と、前記カードデータ処理部と移動搬送部との間に設けられ、前記移動搬送部との間で互いにカードの受け渡しをする第１の回転位置と前記カードデータ処理部との間で互いにカードの受け渡しをする第２の回転位置との間で回転する回転搬送部とを具備しているものである。
【００１２】
請求項３記載のカード発行装置は、請求項１または２記載のカード発行装置において、前記カード収納部に収納された前記カードの端面に接触して取出方向へ押し出す押出部を有し、この押出部の接触面が前記カードの端面を受け入れる凹状に設けられた押出手段を具備しているものである。
【００１３】
請求項４記載のカード発行装置は、請求項１ないし３いずれか記載のカード発行装置において、前記カード収納体の開放面に配置され、前記各カード収納部に装填するカードを前記各カード収納部に案内する複数の装填補助溝が形成された装填補助体を具備しているものである。
【００１４】
請求項５記載のカード発行装置は、請求項１ないし４いずれか記載のカード発行装置において、前記移動搬送部および前記回転搬送部を制御し、前記各カード収納部に収納されているカードを１枚ずつ前記カードデータ処理部に搬送してカードのデータを読み取った後に前記各カード収納部に戻す精査処理をする制御部を具備しているものである。
【００１５】
請求項６記載のカード発行装置は、請求項５記載のカード発行装置において、前記回転搬送部は、前記カードの向きを反転させて前記カードデータ処理部に搬送可能とし、前記制御部は、前記カードデータ処理部でカードのデータが読み取れなかった場合に、該カードを前記カードデータ処理部から前記回転搬送部に戻し、この回転搬送部で該カードの向きを反転させて前記カードデータ処理部に搬送してカードのデータを再読み取りし、正常にカードのデータが読み取れた場合に該カードを前記カード収納部に戻すものである。
【発明の効果】
【００１６】
請求項１記載のカード発行装置によれば、カード発行口の発行方向に対して上流側に、カードデータ処理部、回転搬送部、移動搬送部、および複数種類のカードを１枚ずつ収納可能な複数のカード収納部を併設したカード収納体をそれぞれ独立して配置したので、カードデータ処理部に対して独立した回転搬送部の回転スペースを小さくでき、カード収納体をカード発行装置内の無駄なスペースが少なくなるようなカードデータ処理部との位置関係に配置しても移動搬送部でカード収納体の全てのカード収納部からカードを取り出すことができ、複数種類のカードの発行が可能でありながら小型にできる。
【００１７】
請求項２記載のカード発行装置によれば、カード発行口の発行方向に対して上流側に、カードデータ処理部、回転搬送部、移動搬送部、および複数種類のカードを１枚ずつ収納可能な複数のカード収納部を併設したカード収納体をそれぞれ独立して配置したので、カードデータ処理部に対して独立した回転搬送部の回転スペースを小さくでき、カード収納体をカード発行装置内の無駄なスペースが少なくなるようなカードデータ処理部との位置関係に配置しても移動搬送部でカード収納体の全てのカード収納部に対してカードを出し入れすることができ、複数種類のカードの発行が可能でありながら小型にできる。しかも、カード発行口から補充用のカードを受け入れることにより、カードデータ処理部を経てカード収納部に自動的に補充できるため、カードの装填を容易にできるとともに、例えばカードの方向を間違えるような装填間違いを防止できる。
【００１８】
請求項３記載のカード発行装置によれば、請求項１または２記載のカード発行装置の効果に加えて、カード収納部に収納されたカードの端面に接触して取出方向へ押し出す押出部の接触面をカードの端面を受け入れる凹状に設けたため、カードを安定して押し出すことができるとともに、カードが反っていても確実に押し出すことができる。
【００１９】
請求項４記載のカード発行装置によれば、請求項１ないし３いずれか記載のカード発行装置の効果に加えて、カード収納体の開放面に配置した装填補助体の各装填補助溝に各カードを挿入することにより、各カードを各カード収納部に正確に装填することができ、カードの手動による装填作業性を向上できる。
【００２０】
請求項５記載のカード発行装置によれば、請求項１ないし４いずれか記載のカード発行装置の効果に加えて、各カード収納部に収納されているカードを１枚ずつカードデータ処理部に搬送してカードのデータを読み取った後に各カード収納部に戻す精査処理をするため、各カード収納部のカードの有無および各カード収納部に収納されているカードのデータを取得でき、カードの発行を正確にできる。
【００２１】
請求項６記載のカード発行装置によれば、請求項５記載のカード発行装置の効果に加えて、カードデータ処理部でカードのデータが読み取れなかった場合に、該カードをカードデータ処理部から回転搬送部に戻し、この回転搬送部で該カードの向きを反転させてカードデータ処理部に搬送してカードのデータを再読み取りし、正常にカードのデータが読み取れた場合に該カードをカード収納部に戻すため、例えばカードの装填方向が間違っていた場合でもカードの向きを正しい状態に修正でき、カードの発行を正確にできる。
【発明を実施するための最良の形態】
【００２２】
以下、本発明の一実施の形態を、図面を参照して説明する。
【００２３】
図７および図８に自動契約受付機11を示し、この自動契約受付機11は、前面から見た左右の幅寸法が従来の自動契約受付機に比べて半分以下に小さい縦長の機体12を有し、この機体12の前面上部に凹状の接客部13が形成され、この接客部13の上部側から下部側の順に、契約時に応対する係員が映し出されるディスプレイ14、契約者を写すカメラ15、契約時にレシート発行口16からレシートを発行するプリンタ17、契約時にカード発行口18から契約者にカードを発行するカード発行装置19、契約者が操作するタッチパネル20、身分確認用のカードを読み取るカードスキャナ21がそれぞれ配設されている。
【００２４】
機体12内の下部側には、自動契約受付機11を制御する制御部22、自動契約受付機11に電源を供給する電源部23、停電時に自動契約受付機11に電源を供給する無停電電源装置24などが配置されている。
【００２５】
次に、図１にカード発行装置19を示し、このカード発行装置19が発行するカードｃとしては磁気記録カード、ＩＣカード、非接触ＩＣカードなどがある。
【００２６】
カード発行装置19の上部側には、前面にカードｃを発行するカード発行口18が配設され、このカード発行口18の発行方向に対して上流側である後方にカードｃに対してデータを書き込み、読み出しするカードデータ処理部31が配設され、このカードデータ処理部31の発行方向に対して上流側である後方にカードｃを回転させてカードｃの向きを変更する回転搬送部32が配設され、この回転搬送部32の後方に異常のあるカードｃを回収するリジェクトボックス33が配設されている。
【００２７】
カード発行装置19の上下方向中間部には、カードｃをカード面が前後方向に向く鉛直状態で鉛直方向に搬送する移動搬送部34がカードデータ処理部31、回転搬送部32およびリジェクトボックス33の下方域で前後方向（後述するカード収納部57の併設方向）に沿って移動可能に配設されている。
【００２８】
カード発行装置19の下部側には、複数のカードｃをカード面が前後方向に向く鉛直状態で収納するカード収納体35がカードデータ処理部31、回転搬送部32およびリジェクトボックス33の下方域に前後方向に沿って配設され、このカード収納体35に収納された任意のカードｃを取出方向である上方へ押し出す押出手段36が移動搬送部34と一体に前後方向に移動可能に配設されている。なお、カード収納体35はカードデータ処理部31の発行方向に対して上流側に配置されている。
【００２９】
そして、カード発行口18は、カードｃをカード面が上下方向に向く水平状態で、前方へ送り出して発行したり、前方からの補充用のカードｃの受け入れを可能としている。
【００３０】
また、カードデータ処理部31は、カードｃをカード面が上下方向に向く水平状態で搬送する搬送通路39およびこの搬送通路39内のカードｃを挟み込んで搬送する複数組の搬送ローラ40を有する搬送機構41を備え、カード発行口18へ向けて後方から前方へ、あるいはカード発行口18から後方へ向けてカードｃを双方向に搬送可能とする。カードデータ処理部31では、搬送機構41によって保持されたカードｃに対して図示しないカードリーダライタによりデータの読み出し、書き込みする。
【００３１】
また、回転搬送部32は、カードデータ処理部31と移動搬送部34との間に設けられていて、カードｃを搬送する搬送通路44、およびこの搬送通路44内のカードｃを挟み込んで搬送する複数組の搬送ローラ45を有する搬送機構46を備え、カードｃを搬送通路44の一端側から他端側へ、他端側から一端側へと双方向に搬送可能とする。
【００３２】
回転搬送部32は、水平な回転軸47を中心として回転搬送部32を回転させる回転機構48を備え、この回転機構48により、搬送通路44が鉛直方向に向いて移動搬送部34との間で互いにカードｃの受け渡しを可能とする第１の回転位置としての鉛直搬送位置と、搬送通路44が水平方向に向いてカードデータ処理部31の搬送通路39との間で互いにカードｃの受け渡しを可能とする第２の回転位置としての水平搬送位置との間で略９０°回転可能とする。回転機構48は、回転搬送部32を回転駆動するステッピングモータなどの回転駆動部や、回転搬送部32の回転位置を検知する回転位置検知部などを有している。
【００３３】
また、リジェクトボックス33は、カードデータ処理部31で異常のカードｃと判別された場合に、水平搬送位置に位置する回転搬送部32から後方へ搬送する異常のカードｃを受け入れて収納する。
【００３４】
また、移動搬送部34は、カードｃをカード面が前後方向に向く鉛直状態で搬送する搬送通路51、およびこの搬送通路51内のカードｃを挟み込んで搬送する複数組の搬送ローラ52を有する搬送機構53を備え、カードｃを鉛直方向の上方および下方の双方向に搬送可能とする。
【００３５】
移動搬送部34は、図示しない移動機構により、鉛直搬送位置に位置する回転搬送部32との間で互いにカードｃの受け渡しを可能とする位置を原点位置として、前後方向に移動可能とする。この移動機構は、移動搬送部34を移動させるステッピングモータなどの駆動部や、移動搬送部34の移動位置を検知する移動位置検知部などを有している。
【００３６】
また、カード収納体35は、図１および図２に示すように、上下方向に開口した前後方向に長いカード収納枠56を有し、このカード収納枠56内に、カードｃのカード面を前後方向に向けた鉛直状態でカードｃを１枚ずつ上方へ取出可能に収納する複数のカード収納部57が前後方向に所定のピッチで併設されている。
【００３７】
カード収納枠56内の左右両側には、複数のカード収納部57を前後方向に区分する複数のリブ58が突設されたリブプレート59が複数のねじ60で取り付けられている。リブ58間にはカードｃの側縁が上方から挿入されて係合する溝部61が形成されているとともに、この溝部61に挿入されて自重で下降するカードｃの下辺を支える支え部62が形成され、カード収納枠56内の左右両側で互いに対向する溝部61間にカードｃを収納するカード収納部57が形成されている。
【００３８】
カード収納枠56の前後方向の両端上部には、カード収納枠56の上部で前後方向に沿って検知光を通すフォトインタラプタなどで、カード収納部57から上方へ飛び出したカードｃによって検知光が遮光されることでカードｃの飛び出しを検知する飛出し検知センサ63が配設されている。
【００３９】
複数のカード収納部57のうち、中間に位置する１つのカード収納部57は、基準となるもので、この基準のカード収納部57と、原点位置に移動した移動搬送部34の搬送通路51と、鉛直搬送位置に回転した回転搬送部32の搬送通路44とが鉛直方向に一直線に並び、これらの間で互いにカードｃの受け渡し搬送が可能となっている。
【００４０】
また、図２に示すように、カード収納体35にカードｃを手動装填する際には、カード収納枠56の開放面である上面に着脱可能に位置決め載置される装填補助体65が用いることで手動装填を補助できる。この装填補助体65は、カード収納枠56の前後方向の長さの略半分の寸法でカード収納枠56の上面に配置される装填補助板部66、この装填補助板部66の縁から折曲されてカード収納枠56の上縁に係合して位置決めする縁部67を有し、装填補助板部66の左右両側には各ねじ60との干渉を避ける孔部68が形成されている。装填補助板部66の中央域には複数の装填補助溝69が前後方向に併設されており、これら各装填補助溝69は各カード収納部57の上方に位置し、各装填補助溝69に上方から挿入される各カードｃを各カード収納部57に案内する。
【００４１】
この装填補助体65は、カードｃの手動装填時にのみ用いられ、装填完了後には外され、また、カードｃを自動装填する場合には用いられない。
【００４２】
装填補助体65の一端には飛出し検知センサ63の検知光を遮光する遮光板70が立設され、装填補助体65の外し忘れを飛出し検知センサ63で検知できる。
【００４３】
また、図１、図３ないし図５に示すように、押出手段36は、移動搬送部34と一体に前後方向に移動する移動枠73を有し、この移動枠73は、カード収納体35の一側方に配置される鉛直部74とカード収納体35の下方に配置される水平部75とを有する略Ｌ字形に形成されている。
【００４４】
移動枠73の水平部75には、カード収納体35の下方に配置される押出レバー76が水平な支軸77によって揺動可能に軸支されている。この押出レバー76の一端には押出レバー76の揺動によってカード収納体35内に進退可能な押出部78が突設され、押出レバー76の他端には押出部78が下降する方向に付勢するばね79が移動枠73との間に張設されている。
【００４５】
移動枠73の鉛直部74にはソレノイド80が配設され、このソレノイド80のプランジャ81と押出レバー76とがリンク82で連結されている。このソレノイド80のオン時には、押出部78が上昇してカード収納体35内に進入するように押出レバー76が揺動し、押出部78がカード収納部57内に収納されているカードｃの下辺に接触して上方へ押し出す。ソレノイド80のオフ時には、ばね79の付勢で押出部78が下降してカード収納体35内から下方へ退避するように押出レバー76が揺動する。
【００４６】
押出部78の上面にはカードｃと接触する接触面83が形成され、この接触面83はカードｃの下辺を受け入れ可能に、カード面の方向に円弧となる凹状に設けられている。
【００４７】
また、制御部22は、カード発行装置19の移動搬送部34および回転搬送部32を制御し、各カード収納部57に収納されているカードｃを１枚ずつカードデータ処理部31に搬送してカードｃのデータを読み取った後に各カード収納部57に戻す精査処理の機能を有している。
【００４８】
次に、カード発行装置19の作用を説明する。
【００４９】
まず、カード収納体35へのカードｃの補充について説明する。
【００５０】
このカードｃの補充には自動補充と手動補充とがある。
【００５１】
自動補充の場合には、例えば自動契約受付機11のタッチパネル20で自動補充モードを設定し、１枚の補充用のカードｃをカード発行口18に挿入することにより、このカードｃをカードデータ処理部31が取り込んでカードｃのデータを読み取り、正常にデータを読み取れたカードｃはカードデータ処理部31から水平搬送位置に回転している回転搬送部32に受け渡す。この回転搬送部32はカードｃを取り込んだ後に鉛直搬送位置に回転し、回転搬送部32内のカードｃを下方の原点位置に移動している移動搬送部34に受け渡す。この移動搬送部34はカードｃを取り込んだ後にカードデータ処理部31で読み取ったデータに応じてカードｃを収納するカード収納部57の位置に移動し、移動搬送部34内のカードｃを下方へ送り出してカード収納部57に上方から挿入する。カード収納部57に挿入した後に移動搬送部34から外れたカードｃは、カード収納部57内で自重により落下し、カード収納部57の支え部62上に支えられた状態で収納される。このようにして、カードｃを１枚ずつ順にカード発行口18に挿入することにより、各カード収納部57に自動装填できる。装填するカードｃは、異なる種類でも、同じ種類でもよく、異なる種類の場合には最大でカード収納部57の数に対応した種類のカードｃを装填できる。
【００５２】
カードデータ処理部31でカードｃのデータを正常に読み取れない場合には、カードｃをカード発行口18に戻す。例えば、カードｃの挿入方向が誤っていた場合には、正しい挿入方向でカードｃをカード発行口18に再び挿入することにより、カードデータ処理部31でカードｃのデータを正常に読み取れるようになる。
【００５３】
このように自動補正の場合には、自動契約受付機11の機体12を開いてカード収納体35を引き出すことなく、自動契約受付機11の前面側からカードｃの補充を容易にでき、しかも、各カード収納部57に自動装填されたカードｃはデータが読み取られているため、各カード収納部57とカードｃの有無との関係を制御部22のメモリに記憶して管理できる。
【００５４】
一方、手動補充の場合には、自動契約受付機11の機体12内からカード収納体35を引き出し、各カードｃを各カード収納部57に上方から挿入して装填する。このとき、カードｃの両側縁を挿入する両側のカード収納部57の位置を間違えて斜めに収納される可能性があるが、図２に示すように、装填補助体65をカード収納体35の上面に位置決め配置し、各カードｃを装填補助体65の各装填補助溝69に挿入することにより、カードｃの両側縁を正しい両側のカード収納部57に挿入することができる。装填補助体65はカード収納体35の長手方向の寸法の略半分の寸法であるため、カード収納体35の一端側半分のカード収納部57にカードｃを収納したら、装填補助体65をカード収納体35の反対側の他端側に移動させて残り半分のカード収納部57にカードｃを同様に装填することができる。
【００５５】
手動補充する際のカードｃは異なる種類でも同じ種類でもよいが、後述する精査処理により、各カード収納部57とカードｃの有無およびデータとの関係を制御部22のメモリに記憶して管理する。
【００５６】
続いて、カード発行装置19のカード収納体35の各カード収納部57に収納された各カードｃの精査処理について、図９のフローチャートを参照して説明する。
【００５７】
カードデータ処理部31、回転搬送部32および移動搬送部34にカードｃが残留していないか確認し（ステップ１）、残留していなければこれらカードデータ処理部31、回転搬送部32および移動搬送部34の可動部が動作するか確認し（ステップ２）、正常に動作すれば回転搬送部32を垂直搬送位置に回転させるとともに移動搬送部34を原点位置に移動させて原点復帰させた後（ステップ３）、カードｃの精査処理を開始する（ステップ４）。
【００５８】
このカードｃの精査処理では、例えばカードｃの種類が１種類のみである場合などに各カード収納部57におけるカードｃの有無のみを確認する有無確認精査処理と、例えば複数の種類のカードｃを収納している場合やカードｃの異常を確認する場合などに各カード収納部57におけるカードｃの有無の確認および各カードｃのデータの確認を含むデータ確認精査処理とがあり、いずれか一方を任意に設定できる。
【００５９】
有無確認精査処理では、例えば、移動搬送部34がカード収納体35の最前部のカード収納部57、最後部のカード収納部57などの所定のカード収納部57の位置に移動し、あるいは基準位置のカード収納部57の位置において、この移動搬送部34と一体に移動している押出手段36のソレノイド80をオンして押出部78をカード収納部57内に下方から侵入させる。
【００６０】
カード収納部57内にカードｃが収納されていない場合には、飛出し検知センサ63が投光状態を維持するため、カードｃが収納されていないことを確認できる。
【００６１】
カード収納部57にカードｃが収納されている場合には、押出部78でカードｃが上方へ押し出されるため、飛出し検知センサ63が遮光され、カードｃが収納されていることを確認できる。
【００６２】
カードｃの有無確認後は、ソレノイド80をオフし、移動搬送部34を次のカード収納部57の位置に移動させ、同様にソレノイド80をオン、オフさせて飛出し検知センサ63の検知状況を確認する。
【００６３】
このように、移動搬送部34を各カード収納部57の位置に順次移動させてカードｃの有無を確認する。各カード収納部57とカードｃの有無との関係は制御部22のメモリに記憶して管理する。
【００６４】
一方、データ確認精査処理では、飛出し検知センサ63によるカードの有無確認までは、上述した有無確認精査処理と同様であるが、カード収納部57に収納されているカードｃが押し上げられてカード有りが検知された場合には、押し上げられたカードｃを移動搬送部34内に取り込む。このカードｃを取り込んだ移動搬送部34が原点位置に移動し、上方の鉛直搬送位置に回転している回転搬送部32へ受け渡す。この回転搬送部32はカードｃを取り込んだ後に水平搬送位置に回転し、回転搬送部32内のカードｃを前方のカードデータ処理部31に受け渡す。このカードデータ処理部31はカードｃを取り込んでデータを読み出す。
【００６５】
カードデータ処理部31でカードｃのデータが正常に読み取れた場合には、そのカードｃをカードデータ処理部31から水平搬送位置に回転している回転搬送部32に受け渡し、回転搬送部32がカードｃを取り込んだ後に鉛直搬送位置に回転し、回転搬送部32内のカードｃを下方の原点位置に移動している移動搬送部34に受け渡し、移動搬送部34がカードｃを取り込んだ後に元のカード収納部57の位置に移動し、移動搬送部34内のカードｃを下方へ送り出して元のカード収納部57に上方から挿入して戻す。
【００６６】
カードデータ処理部31でカードｃのデータが正常に読み取れない場合には、カードｃをカードデータ処理部31から水平搬送位置に回転している回転搬送部32に受け渡し、この回転搬送部32でカードｃを後方へ送り出してリジェクトボックス33に回収する。
【００６７】
このように、移動搬送部34を各カード収納部57の位置に順次移動させてカードｃの有無を確認するとともにカードｃがある場合にはデータを確認する。各カード収納部57とカードｃの有無およびデータとの関係は制御部22のメモリに記憶して管理する。
【００６８】
そして、全てのカード収納部57について精査を行ったら、回転搬送部32を垂直搬送位置に回転させるとともに移動搬送部34を原点位置に移動させて原点復帰させ（ステップ５）、カード発行が可能となる。
【００６９】
続いて、カード発行装置19のカード発行動作について説明する。
【００７０】
カード発行装置19の待機状態では、回転搬送部32が垂直搬送位置に回転し、移動搬送部34が原点位置に移動している。
【００７１】
制御部22で任意のカード収納部57に収納されているカードｃの発行が指令されることにより、移動搬送部34が発行するカードｃを収納しているカード収納部57の位置に移動し、この移動搬送部34と一体に移動している押出手段36によりカードｃを上方へ押し出し、移動搬送部34内に取り込む。このカードｃを取り込んだ移動搬送部34が原点位置に移動し、上方の鉛直搬送位置に回転している回転搬送部32へ受け渡す。この回転搬送部32はカードｃを取り込んだ後に水平搬送位置に回転し、回転搬送部32内のカードｃを前方のカードデータ処理部31に受け渡す。このカードデータ処理部31はカードｃを取り込んで所定のデータを書き込み、データを書き込んだカードｃをカードデータ処理部31でカード発行口18に送り出して発行する。
【００７２】
このように、カード発行装置19では、カード発行口18の後方にカードデータ処理部31および回転搬送部32をそれぞれ独立して配置し、この回転搬送部32の下方に移動搬送部34を前後方向に移動可能に独立して配置し、この移動搬送部34の下方に複数種類のカードｃを１枚ずつ収納可能な複数のカード収納部57を前後方向に併設したカード収納体35を配置したので、カードデータ処理部31に対して独立した回転搬送部32の回転スペースを小さくでき、カード収納体35の前端側をカードデータ処理部31の下方の前寄り位置に配置しても移動搬送部34でカード収納体35の前端側のカード収納部57に対してカードｃを出し入れすることが可能となって、カードデータ処理部31の下方でかつカード収納体35の前方の無駄なスペースを少なくでき、したがって、複数種類のカードｃの発行が可能でありながら、カード発行装置19の横幅および奥行きとも小型にできる。
【００７３】
このカード発行装置19の横幅および奥行きを小型にできるために、図８に示すように、自動契約受付機11の幅寸法を従来の自動契約受付機に比べて半分以下に小さく、奥行きも小さくなり、設置スペースが小さく、従来設置できなかった場所にも設置できる。
【００７４】
しかも、カードデータ処理部のデータの読み出しや書き込みと、回転搬送部の回転と、移動搬送部の移動とを並行して実施でき、複数のカードｃの自動装填時、回収時の総合的な処理時間を短縮できる。なお、カードｃの回収は、各カード収納部57内のカードｃを１枚ずつカード発行口18に搬送して取り出す。
【００７５】
さらに、リジェクトボックス33を回転搬送部32の後方に配置しているため、カードデータ処理部31でデータを読み取れないカードｃを後方へ搬送することによりリジェクトボックス33に短時間で回収できる。
【００７６】
また、移動搬送部34の原点位置が前後方向中間部のカード収納部57の位置にあるため、移動搬送部34の原点位置が前後端のカード収納部57の位置にある場合に比べて、原点位置からの最大移動距離が短くなり、移動時間を短縮できる。
【００７７】
また、カード発行口18から補充用のカードｃを挿入することにより、カードデータ処理部31を経てカード収納部57に自動補充できるため、機体12を開放せずに、カードｃの装填を容易にできるとともに、カードｃの方向を間違えるような装填間違いを防止できる。
【００７８】
また、カードｃを手動装填する場合には、カード収納体35の上面に配置した装填補助体65の各装填補助溝69に各カードｃを挿入することにより、各カードｃを各カード収納部57に正確に装填することができ、カードｃの手動による装填作業性を向上できる。
【００７９】
また、各カード収納部57に収納されているカードｃを１枚ずつカードデータ処理部31に搬送してカードｃのデータを読み取った後に各カード収納部57に戻す精査処理をすることにより、各カード収納部57のカードｃの有無および各カード収納部57に収納されているカードｃのデータを取得でき、指定どおりのカードｃを正確に発行できる。
【００８０】
また、カード収納部57に収納されたカードｃの下辺に接触して上方へ押し出す押出部78の接触面83をカードｃの下辺を受け入れる凹状に設けているため、図５(a)に示すように、カードｃに反りがあるためにカードｃが押出部78に対して斜め状態にあっても、図５(b)に示すように、押出部78が上昇した際に凹状の接触面83にカードｃの下辺を受け入れ、この凹状の接触面83の中央にカードｃの下辺を導き、接触面83の中央でカードｃを確実に押し上げることができる。なお、図６には接触面83が平面状である比較例を示し、図６(a)に示すように、カードｃに反りがあるためにカードｃが押出部78に対して斜め状態にあると、図６(b)に示すように、押出部78が上昇した際に平面状の接触面83上をカードｃの下辺が滑って外れ、カードｃの押し上げ不良が生じる可能性がある。
【００８１】
なお、精査処理時において、カードデータ処理部31でカードｃのデータが読み取れない理由は、カード収納部にカードを手動装填する際に、カードｃの装填方向を間違えている場合が殆どである。そのため、回転搬送部32はカードｃの向きを反転させてカードデータ処理部に搬送可能に構成し、精査処理時おいて、カードデータ処理部31でカードｃのデータが読み取れない場合、カードｃをカードデータ処理部31から回転搬送部32に戻し、この回転搬送部32でカードｃの向きを反転させてカードデータ処理部31に搬送してカードｃのデータを再読み取りすることにより、正常にカードｃのデータが読み取れることができる。
【００８２】
正常にカードｃのデータを読み取れた場合には、カードｃをカード収納部57に戻して発行できるため、リジェクトボックス33に回収されるカードｃが少なくなり、カードｃの装填頻度も少なくできる。
【００８３】
また、カード発行口18からのカードｃの自動装填を可能としたが、カードｃの発行専用とし、カードｃは手動装填するようにしてもよく、構成を簡素化できる。
【００８４】
また、このカード発行装置19は、複数種類のカードｃの発行が可能でありながら小型にできるため、自動契約受付機11に適用した場合に横幅を小さくできる特有のメリットがあるが、自動契約受付機11に限らず、カードｃの発行を伴う他の機器にも適用できる。
【図面の簡単な説明】
【００８５】
【図１】本発明の一実施の形態を示すカード発行装置の内部構造を示す側面図である。
【図２】同上カード発行装置のカード収納体の斜視図である。
【図３】同上カード発行装置のカード収納体および押出手段を示す断面図である。
【図４】同上カード発行装置のカード収納体および押出手段を示す平面図である。
【図５】同上カード発行装置の押出手段の押出部の接触面が凹状である場合を示し、(a)は押出部の凹状の接触面がカードの下辺に接触した状態の側面図、(b)は押出部でカードを押し出した状態の側面図である。
【図６】同上カード発行装置の押出部の接触面が平面状である場合の比較例を示し、(a)は押出部の平面状の接触面がカードの下辺に接触した状態の側面図、(b)は押出部の平面状の接触面からカードが外れた状態の側面図である。
【図７】同上カード発行装置を適用した自動契約受付機の内部構造を示す側面図である。
【図８】同上自動契約受付機の斜視図である。
【図９】同上カード発行装置の動作を説明するフローチャートである。
【符号の説明】
【００８６】
18    カード発行口
19    カード発行装置
22    制御部
31    カードデータ処理部
32    回転搬送部
34    移動搬送部
35    カード収納体
36    押出手段
57    カード収納部
65    装填補助体
69    装填補助溝
78    押出部
83    接触面
ｃ    カード
【図１】
0005060188.tif 000002
【図２】
0005060188.tif 000003
【図３】
0005060188.tif 000004
【図４】
0005060188.tif 000005
【図５】
0005060188.tif 000006
【図６】
0005060188.tif 000007
【図７】
0005060188.tif 000008
【図８】
0005060188.tif 000009
【図９】
0005060188.tif 000010